(57)【要約】【課題】側注が硬く尖った針を用いず、注射器の先管（注射針を外した突管）を差し込むことにより確実に行えるようにし、針先を手指に突き刺すことを未然に防止して医療従事者への注射針の誤穿刺事故及び院内感染事故を皆無にした側注管を提供する。【解決手段】本発明に係る側注管は、上部に狭窄された開口部２を有し、下部に流路接続部３を有する筒状体４と、該筒状体の開口部に頂面が圧入され、該頂面に前記開口部からの挿入物により狭窄が解除されると顕在化する縦穴７を有している中空弾体５と、該中空弾体と前記流路接続部との間に介装した盤状弾体６とを備え、前記中空弾体の空洞内に、該中空弾体が前記筒状体の開口部からの挿入物により下向きに圧縮されたときに前記盤状弾体を貫通できる中空針を設けたことを特徴とし、筒状体の上部開口部に注射器の先管を挿入するだけで、中空弾体の頂面の縦穴を顕在化させると同時に、盤状弾体を中空針で貫通させることができるように構成した。【選択図】図１
2006015024.tif 000002
【特許請求の範囲】
【請求項１】
上部に狭窄された開口部を有し、下部に流路接続部を有する筒状体と、該筒状体の開口部に首部が圧入され、該首部の頂面に前記開口部からの挿入物により狭窄が解除されると空洞部に導通する縦穴を有し、底面が開放されている中空弾体と、該中空弾体の底面と前記流路接続部の上面との間に介装した盤状弾体とを備え、前記中空弾体の空洞部内に、該中空弾体が前記筒状体の開口部からの挿入物により圧縮されたときに前記盤状弾体を貫通できる中空針を設けたことを特徴とする側注管。
【発明の詳細な説明】
【技術分野】
【０００１】
本発明は、輸血または輸液セットの導液チューブ、或いは、腎不全等の治療に用いられる人口腎臓などの体外血液回路の導液チューブに連結し、適時、必要な薬液等の注入（側注）ができるようにした側注管に関するものである。
【背景技術】
【０００２】
従来のこの種の側注管は、例えば、実公平３−３１３０５号の如く、両端に導液チューブの接続部を有する主管の一側面に管体を立ち上げ、該管体の開口端部に注射針を突き刺し可能な柔らかさのある盤状の弾性栓体（ゴム栓）を圧入し、その上面を穴開きキャップで被冠して構成されていた。この従来型の側注管は、キャップの穴より露出した弾性栓体の上面に注射器の先管に固定した注射針を突き刺してプランジャの押操作をすることにより注射器内に収容した薬液等を注入することができるようになっていた。この弾性栓体はこれに刺した注射針の穴は、針を抜き取った後に素材の弾性により瞬時に閉塞するため、輸血または輸液等の治療作業において液漏れなどの障害を与えることがない。
【特許文献１】実公平３−３１３０５号
【発明の開示】
【発明が解決しようとする課題】
【０００３】
しかしながら、弾性栓体は柔らかさがあるとは言え、金属製の注射針のような硬く尖ったものでなければ突き抜くことが出来ず、従って、上述の如く、薬液等の側注作業にはそのような硬く尖った針を使用する以外になかったため、側注作業終了後の注射針には直ちに保護キャップが施され、その保護キャップと一緒に針を注射器から取り外して廃棄していた。したがって、注射針に保護キャップを施すときに注射針の針先を手指に突き刺してしまう事故を起こす可能性が高く、該注射針の針先に感染性保菌者の血液が付着していた場合には感染という事態になるおそれがあった。
【０００４】
本発明は、上記問題を解消するためのもので、その目的とするところは、側注が、硬く尖った針を用いることなく、注射器の先管（注射針の針もとを結合させるもの）を差し込むことにより確実に行えるようにし、針先を手指に突き刺すことを未然に防止して院内感染などの事故を皆無にした側注管を提供することにある。
【課題を解決するための手段】
【０００５】
上記の目的を達成するため、本発明に係る側注管は、上部に狭窄された開口部を有し、下部に流路接続部を有する筒状体と、該筒状体の開口部に首部が圧入され、該首部の頂面に前記開口部からの挿入物により狭窄が解除されると空洞部に導通する縦穴を有し、底面が開放されている中空弾体と、該中空弾体の底面と前記流路接続部の上面との間に介装した盤状弾体とを備え、前記中空弾体の空洞部内に、該中空弾体が前記筒状体の開口部からの挿入物により圧縮されたときに前記盤状弾体を貫通できる中空針を設けたことを特徴とし、筒状体の上部開口部に注射器の先管を挿入するだけで、中空弾体の首部の頂面の縦穴を顕在化させ空洞部に導通させると同時に、中空針で盤状弾体を貫通することができるように構成した。
【発明の効果】
【０００６】
本発明に係る側注管によれば、予め、筒状体の流路接続部を輸血または輸液セットあるいは体外回路の導液チューブに接続しておき、患者への側注の必要が生じたときに、必要な薬液等を必要量収容した注射器の先管を、筒状体の上部の開口部に差し込むと、開口部から中空弾体の首部が非狭窄位置まで下降し、それまで閉じていた縦穴を顕在化させ空洞部に導通させる。これと同時に、その空洞部内に設けた中空針が、体外血液回路などの流路に接して位置する盤状弾体を貫通する。したがって、この状態で注射器のプランジャの押操作を行うと、薬液等は中空弾体の首部の頂面の縦穴及び盤状弾体を貫通した中空針の内孔を通って側注される。しかして、側注終了後、注射器の先管を、筒状体の上部開口部から脱出させると、前記中空弾体が素材の弾性により旧形態に復帰して首部が筒状体の開口部に再嵌入し、周囲からの圧迫により縦穴を瞬時に閉塞させる。これと同時に、盤状弾体から中空針が抜け、該中空針が刺さっていた盤状弾体の針跡も素材の弾性により瞬時に閉じる。この瞬時に行われる二重シールにより前記導液チューブを流動している液体の逆流は確実に防止されることとなる。このように、本願側注管は、側注が、硬く尖った針を用いることなく、注射器の先管を差し込むだけで確実に行えるから、針先を手指に突き刺すことが未然に防止でき、院内感染などの事故を皆無にするという優れた効果を奏するものである。
【発明を実施するための最良の形態】
【０００７】
次に、本発明の実施するための最良の形態を図面に基づいて説明する。図１は本願側注管の正面断面図、図２は筒状体の開口部からの挿入物により中空弾体の変形の状態を示す部分断面図、図３はＴ字管に接続した場合を示す正面断面図である。
【０００８】
１は本願側注管で、該本願側注管１は、上部に狭窄された開口部２を有し、下部に流路接続部３を有する筒状体４内に、底面が開放されている中空弾体５を備え、該中空弾体５の下面と流路接続部３の上面との間に盤状弾体６を介装してなる。これら中空弾体５及び盤状弾体６はシリコン樹脂よりなる弾性性能のよい素材により構成されている。勿論、同効の素材であればシリコン樹脂に限らない。
【０００９】
前記中空弾体５は、前記開口部２を含む筒状体４の上位の空間に装填されている。該中空弾体５は首部５ａの頂面には空洞部５ｂに通じる縦穴７が明いている。この縦穴７は、前記中空弾体５の首部５ａが筒状体４の開口部２に圧入されている状態（平時）では狭窄された開口部２の圧迫作用、すなわち、周囲からの締め付けにより、図１の如く、閉塞されている（図１では一本の線で閉塞状態を示している）が、図２の如く、筒状体４の上部の開口部２に、注射器の先管などの挿入物８を差込み、前記中空弾体５の首部５ａを非狭窄位置まで下降させると、前記開口部２の狭窄（圧迫）から解除されて縦穴７が顕在化する（空洞部５ｂに導通）ようになっている。
【００１０】
また、中空弾体５の空洞部５ｂには、図２の如く、中空弾体５が前記筒状体４の開口部２からの挿入物８により下向きに圧縮されたときに前記盤状弾体６を貫通できる中空針９を設けている。該中空針９は下端を尖らせた注射針（金属針でもプラスチック針でも可）と同じもので、上端の鍔部９ａを中空弾体５の空洞部５ｂの内壁に埋設されている。この中空針９が盤状弾体６を貫通した状態では、該盤状弾体６を貫通した中空針９の内孔９ｂに、前記中空弾体５の頂面の顕在化された縦穴７がＡ→Ａ′の如く導通（開通）することとなる。
【００１１】
前記盤状弾体６は、前述の如く、シリコン樹脂などの弾性性能のよい素材により構成されているため、筒状体４の上部の開口部２から注射器の先管部分などの挿入物８を脱出させ、中空弾体５が旧形態に復帰するに伴って中空針９が抜けると、該中空針の針跡１０も瞬時に閉じるようになる。この状態では、中空弾体５の首部５ａも筒状体４の開口部２に再嵌入し、図１と同じ状態に戻るから、該開口部２の狭窄により縦穴７も瞬時に閉塞される。したがって、中空弾体５の縦穴７と、盤状弾体６の針跡（図１では一点鎖線で示している）１０との二重シールが瞬時に完璧に行われ、前記導液チューブを流動している液体の逆流を確実に防止することが可能となる。
【００１２】
前記本願側注管１は、図３の如く、流路接続部３を介して、体外血液回路（あるいは輸血または輸液セット）の導液チューブ１１の途中に接続したＴ字管１２の縦管１２′にテーパー結合して使用される。この場合、テーパー結合を確実にするため、流路接続部３の周囲に雌ネジ筒１４を設けておき、該雌ネジ筒１４を前記縦管１２′の口端外周部に設けた雄ネジ１２″に噛合結合できるように構成するとより好ましい。勿論、本願側注管１は、図示していないが、体外血液回路（あるいは輸血または輸液セット）の導液チューブ１１の途中から分岐したＹ字管の枝管端部に、上記同様の形態で結合して使用することもある。
【００１３】
次に、本発明の作用について述べると、今、本願側注管１の流路接続部３を、図３の如く、体外血液回路（あるいは輸血または輸液セット）の導液チューブ１１の途中に接続したＴ字管１２の縦管１２′に結合セットする。この状態では、本願側注管１の筒状体４内の中空弾体５の首部５ａは開口部２に嵌入され、縦穴７も閉塞されていること、及び中空弾体５の底面と流路接続部３の上面との間に介装してなる盤状弾体６も閉塞状態にあるために、前記導液チューブを流動している液体は本願側注管１の筒状体４内には侵入することも外部に液漏れさせることもない。
【００１４】
しかして、体外血液回路（あるいは輸血または輸液セット）を通して治療を受けている患者に対して側注の必要が生じたときに、まず、必要な薬液等の必要量を注射器Ｓに収容する。次いで、注射器Ｓの先管Ｓ′を、本願側注管１を構成する筒状体４の上部の開口部２に図３の如く対峙させてから差し込むと、開口部２から中空弾体５の首部５ａが非狭窄位置まで下降する（図２参照）。これによりそれまで閉じていた縦穴７が顕在化して空洞部５ｂと導通することとなる。
【００１５】
これと同時に、中空弾体５が下向きに圧縮することに伴い、その空洞部５ｂ内に設けられていた中空針９が、盤状弾体６を貫通する。この状態において注射器Ｓのプランジャを押操作すると、注射器Ｓ内の薬液等は、中空弾体５の顕在化している頂面の縦穴７を通って空洞部５ｂ内に注入され、さらに盤状弾体６を貫通した中空針９の内孔９ｂを通って導液チューブ１１を通る液中に側注される。
【００１６】
かくして、注射器Ｓ内に収容されている必要量の薬液等の側注が終了した後、注射器Ｓの先管Ｓ′を、前記筒状体４の上部開口部２から脱出させると、前記中空弾体５が素材の弾性により旧形態（形状記憶）に復帰して首部が筒状体の開口部２に再嵌入し、周囲からの圧迫により縦穴７を瞬時に閉塞させる。また、中空弾体の旧形態への復帰により盤状弾体６から中空針９が抜け、該中空針９が刺さっていた盤状弾体の針跡１０も素材の弾性により瞬時に閉じる。
【００１７】
したがって、側注後、注射器Ｓの先管Ｓ′を、前記筒状体４の上部開口部２から脱出させても、瞬時に二重シールされるので、導液チューブ１１を流動している液体の逆流及び液漏れを確実に防止することができる。
【産業上の利用可能性】
【００１８】
本願側注管は、上述の如く、側注が、硬く尖った針を用いることなく、注射器の先管を差し込むだけで確実に行えるから、針先を手指に突き刺すことが未然に防止でき、院内感染などの事故を皆無にすることから、病院その他においての利用可能性は極めて大きいものである。
【図面の簡単な説明】
【００１９】
【図１】本願側注管の正面断面図である。
【図２】筒状体の開口部からの挿入物により中空弾体の変形の状態を示す部分断面図である。
【図３】Ｔ字管に接続した本願側注管を示す正面断面図である。
【符号の説明】
【００２０】
１  本願側注管
２  開口部
３  流路接続部
４  筒状体
５  中空弾体
６  盤状弾体
５ａ  首部
５ｂ  空洞
７  縦穴
８  挿入物
９  中空針
９ａ  鍔部
９ｂ  内孔
１０  針跡
１１  導液チューブ
１２  Ｔ字管
１２′  縦管
１２″  雄ネジ
１４  雌ネジ筒
【図１】
2006015024.tif 000003
【図２】
2006015024.tif 000004
【図３】
2006015024.tif 000005